(57)【要約】【課題】ルアーのキャスティングの飛距離の延長とルアーの沈下時間の短縮を図り、広範囲で手返しの良いルアーフィッシングが可能とする。【解決手段】上端にラインＬが止着される環状止め金具１と、この環状止め金具１の主軸３に挿通される半環状回転金具２と、この半環状回転金具２に挿通されたルアー５と、前記の環状止め金具１の主軸３の下端に挿入される錘部４で構成されていることを特徴とするルアー用の錘。【選択図】図１
2016140355.tif 000002
【特許請求の範囲】
【請求項１】
環状止め金具（１）の、上端にライン（Ｌ）を巻きとめ、環状止め金具（１）の主軸（３）には、主軸（３）の周りを自由に３６０度旋回させることができるＵ字型の半環状回転金具（２）が挿通されており、この半環状回転金具（２）には、上下方向１８０度自由に揺動が可能になるようにルアー（５）が挿通され、環状止め金具（１）の下端には、錘部（４）が着脱可能となっていることを特徴とするルアー用の錘。
【発明の詳細な説明】
【技術分野】
【０００１】  本発明は、魚釣りに用いるルアー用の錘に関するものである。
【背景技術】
【０００２】  上記のようなルアー用の錘として、本発明者は、ルアー本体に直接に錘を加重させないことで、ルアー自体の動作能力を損なうことがなく、ルアーの飛距離と沈下速度を向上させたことを特徴とするルアー用の錘を出願（特願２０１４−８３９７１号）してある。この発明によると、キャスティングの飛距離の延長とルアーの沈下時間の短縮を図ることが可能であり、広範囲で手返しの良いルアーフィッシングが可能となる。
【発明の概要】
【発明が解決しようとする課題】
【０００３】  上記の本発明者の特許出願（特願２０１４−８３９７１号）に記載されたルアー用の錘は、別途に加重させる錘部とルアー本体との形状に一体感が無く、遊泳するシルエットに違和感があり、魚に警戒心を与えてしまう場合がある。【０００４】  錘部の付加加重を変更する場合において、ラインを結び直す必要があった。
本発明は、以上の問題点を解決するためになされたものである。
【課題を解決するための手段】
【０００５】  本発明は、上端にラインが止着される環状止め金具と、この環状止め金具の主軸に挿通される半環状回転金具と、この半環状回転金具に挿通されたルアーと、前記の環状止め金具の主軸の下端に挿入される錘部で構成されていることを特徴とする【０００６】  半環状回転金具は、環状止め金具の主軸に対して、交差して挿通され、主軸を軸として３６０度旋回し得ることを特徴とする。【０００７】  ルアーは、本体の貫通孔に半環状回転金具を挿通しており、この半環状回転金具によって、環状止め金具の主軸に連結される。【０００８】  錘部の貫通孔にねじ溝を設け、環状止め金具の一端にねじ山を設けることで、錘部を着脱式とする。
以上の構成からなるルアー用の錘。
【発明の効果】
【０００９】  本発明によれば、ラインと環状止め金具の延長線上に錘を配置することで、ラインには錘の自重の付加を与ますが、直接的にルアー本体に負荷を与えません。これはルアーの揺動を鈍重にさせずに、全体を重くすることが可能となり、キャスティングの飛距離の延長とルアーの沈下時間の短縮を図ることができます。これらの効果により、ルアーの動作能力を維持しながら、広範囲で手返しの良いルアーフィッシングが可能で、大幅な釣果のアップへとつながります。【００１０】  本発明と本発明者の特許出願（特願２０１４−８３９７１号）とを比較すると、ルアーと錘部がコンパクトに接近して、ルアーが錘部の上部をなぞるように遊動するようになり、錘部とルアーに一体感が生まれ、対象魚に違和感を与えることが無くなる。【００１１】  さらに、ルアーの前端のＲ部分と錘部の球状が干渉し合うことがなく、水流の抵抗を減少させることが可能で、ルアーの動作作用を邪魔することを無くす効果がある。【００１２】  環状止め金具と錘部を着脱可能とすることにより、環状止め具にラインを繋いだまま、ルアーと錘部の交換が可能となるので、面倒なラインの結び直しを必要とせず、適宜、状況に応じてルアーと錘部の交換がスムーズに行うことが可能となります。さらに、ルアーと錘部をそれぞれ多種用意することで、ルアーと錘部の組み合わせの多様化が可能となるので、様々な状況への対応ができるようになる効果がある。
【図面の簡単な説明】
【００１３】
【図１】本発明の斜視図
【図２】本発明を分解した斜視図
【図３】本発明の側面図
【図４】本発明の平面図
【図５】本発明の動作図
【発明を実施するための形態】
【００１４】  以下、本発明の実施の形態を説明する。
（イ）  図１、図２に示すように、環状止め金具（１）は、上端にライン（Ｌ）がユニノ      ットやクリンチノット等で止着することができ、その主軸（３）には、主軸（３）      に対して交差するように旋回させることができる半環状回転金具（２）を挿通させ      るスペースを備えており、下端には、錘部（４）を固定するねじ山（７）を備えて      いる。
（ロ）  前記、半環状回転金具（２）は、Ｕ字型を呈しており、両項部に一対の輪状部（      ８ａ）と輪状部（８ｂ）を有する。これらの輪状部（８ａ）は貫通孔（１１ａ）、      輪状部（８ｂ）は貫通孔（１１ｂ）を有する。これら輪状部（８ａ）と輪状部（８      ｂ）はＵ字型の同軸上にあって互いに離間して向きあい並列している。
（ハ）  半環状回転金具（２）のＵ字状の軸に、ルアー（５）の貫通孔（６）に挿通させ      る。このＵ字状の半環状回転金具（２）は、ルアー（５）が環状止め金具（１）や      錘部（４）に接触して揺動を邪魔されないようにするために別途に設置されており      、挿通されたルアー（５）は、上下方向１８０度自由に揺動が可能となっている。
（ニ）  環状止め金具（１）の主軸（３）に、前記、ルアー（５）を挿通させた半環状回      転金具（２）を主軸（３）に対して交差するように、半環状回転金具（２）が有す      る輪状部（８ａ）の貫通孔（１１ａ）と輪状部（８ｂ）の貫通孔（１１ｂ）に順に      挿通させる。これにより、半環状回転金具（２）は、主軸（３）を軸として交差す      る方向へ３６０度旋回し得るようになっている。
（ホ）  錘部（４）のねじ溝（９）に、環状止め金具（１）のねじ山（７）を挿通させ掛      止させる。
（ヘ）  図５に示すように、ルアー（５）の遊動時には、錘部（４）の球状とルアー（５      ）の先端部のＲ形状（１０）が接近するようになる。
本発明は以上のような構造である。
【００１５】  本発明を使用するときは、任意のルアー（５）の貫通孔（６）に半環状回転金具（２）を挿通させ、さらに、前記、半環状回転金具（２）の貫通孔（１１ａ）と貫通孔（１１ｂ）に環状止め金具（１）を挿通させます。このルアー（５）と半環状回転金具（２）を備えた環状止め金具（１）のねじ山（７）に任意の重量を持つ錘部（４）のねじ溝（９）で締め閉じます。
環状止め金具（１）にライン（Ｌ）を結合させ、キャスティングすると、ルアー（５）の重量に加え、さらに錘部（４）の重量が付加されているので、本発明は、たとえ小さく軽量なルアー（５）であっても、キャスティングの飛距離の延長とルアーの沈下時間の短縮を図ることができます。
この錘部（４）は、ライン（Ｌ）と環状止め金具（１）の延長線上の末端に配置されているので、ライン（Ｌ）には錘部（４）の自重の付加を与ますが、錘部（４）の上部で半環状回転金具（２）によってライン（Ｌ）と環状止め金具（１）と間接的に接合されたルアー（５）には錘部（４）の重量の負荷を直接は与えません。これはルアー（５）の揺動を鈍重にさせずに、システム全体を重くすることが可能となり、これらの効果により、ルアーの動作能力を維持しながら、広範囲で手返しの良いルアーフィッシングが可能で、大幅な釣果のアップへとつながります。
環状止め金具（１）と錘部（４）が着脱可能となっているので、適宜、状況に応じてルアー（５）と錘部（４）の交換がスムーズに行うことが可能となります。ルアー（５）と錘部（４）をそれぞれ多種用意することで、ルアー（５）と錘部（４）の組み合わせの多様化が可能となるので、様々な状況への対応ができるようになります。
【００１６】  本発明は、本出願人の特願２０１４−８３９７１の技術を改良して、ルアー（５）を掛止する本体部分を簡略化することにより、よりルアー（５）を錘部（４）に接近させ、コンパクトにすることが可能となり、さらに、図５に示すように、球状の錘部（４）の上部をルアー（５）のＲ形状（１０）がなぞるように遊動するようになり、錘部（４）とルアー（５）に一体感が生まれ、対象魚に違和感を与えることが無くなった。また、上方からルアー（５）を見ると、ルアー（５）の揺動により、錘部（４）が見え隠れするようになり、魚へのアピール力が増えた。
【００１７】  また、環状止め金具（１）のねじ山（７）と錘部（４）のねじ溝（９）を着脱可能としたことにより、環状止め具（１）にライン（Ｌ）を繋いだまま、半環状回転金具（２）に掛止したルアー（５）と錘部（４）の交換が可能となった。これによって、状況に応じて、ルアー（５）と錘部（４）の変更が容易となり、様々な状況に対応できるようになっている。
【符号の説明】
【００１８】  １環状止め金具、２半環状回転金具、３主軸、４錘部、５ルアー、６貫通孔
７ねじ山、８（ａ〜ｂ）輪状部、９ねじ溝、１０Ｒ形状、１１（ａ〜ｂ）貫通孔
Ｌライン、Ｆフック
【図１】
2016140355.tif 000003
【図２】
2016140355.tif 000004
【図３】
2016140355.tif 000005
【図４】
2016140355.tif 000006
【図５】
2016140355.tif 000007